(57)【要約】      （修正有）【課題】  環境試験による全反射ミラーの擦れを押さえることができ、この擦れ量を小さくすることができる光ピックアップにおける全反射ミラーの取付構造を提供する。【解決手段】  光学ディスクに対して接近及び離反可能に支持されるスライドベース２に取り付け光源から発射されるレーザー光の光軸を曲げて光学ディスクに照射させ、全反射ミラー１は光ピックアップの本体部のミラー保持部３に斜め向きに支え、全反射ミラー１を保護するオフトカバー４に板バネを一体的に設け板バネ部分５Ａを下向きに折曲しその端部を内向きに湾曲し湾曲部分５ｂを全反射ミラー１の裏面１ａの一方側の端面１ｂに圧接し、全反射ミラー１の裏面１ａの他方側の端面１ｃに端面１ｃに対応する板バネ部分５Ｂを斜め上向きに折曲し折曲部分の端部を全反射ミラー１の裏面１ａの他方側の端面１ｃに向けて湾曲し湾曲部分５ｂを全反射ミラー１の裏面１ａの他方側の端面１ｃに圧接した。【選択図】図１
2006031737.tif 000002
【特許請求の範囲】
【請求項１】
光学ディスクに対して接近及び離反可能に支持されるスライドベースに取り付けられ且つ光源から発射されるレーザー光の光軸を曲げて光学ディスクに照射させる光ピックアップにおける全反射ミラーの取付構造において、前記全反射ミラーは光ピックアップの本体部のミラー保持部に斜め向きに支えられ、この全反射ミラーを保護するためのオフトカバーに板バネが一体的に設けられ、この板バネ部分が下向きに折曲されて更にその端部が内向きに湾曲され、この湾曲部分が前記全反射ミラーの裏面の一方側の端面に圧接されていて、前記全反射ミラーの裏面の他方側の端面には、この端面に対応する板バネ部分が斜め上向きに折曲され、この折曲部分の端部が前記全反射ミラーの裏面の他方側の端面に向けて湾曲されて、この湾曲部分が前記全反射ミラーの裏面の他方側の端面に圧接されていることにより、前記全反射ミラーが前記板バネで保持されるように構成されていることを特徴とする光ピックアップにおける全反射ミラーの取付構造。
【請求項２】
光学ディスクに対して接近及び離反可能に支持されるスライドベースに取り付けられ且つ光源から発射されるレーザー光の光軸を曲げて光学ディスクに照射させる光ピックアップにおける全反射ミラーの取付構造において、前記全反射ミラーは光ピックアップの本体部のミラー保持部に斜め向きに支えられ、この全反射ミラーを保護するためのオフトカバーに板バネが一体的に設けられ、この板バネ部分が前記全反射ミラーの裏面側に向けて折曲されて前記全反射ミラーの裏面に圧接されることによって、前記全反射ミラーが保持されるように構成されていることを特徴とする光ピックアップにおける全反射ミラーの取付構造。
【請求項３】
前記板バネ部分は、前記オフトカバーにおける前記全反射ミラーの裏面の近傍に設けられ、この近傍部分を前記全反射ミラーの裏面に沿って折曲されてこの折曲部分のほぼ全体が前記反射ミラーの裏面の一方側の端面に到る箇所に圧接され、前記全反射ミラーの裏面側の他方側の端面に対応する板バネ部分が斜め上向きに折曲され、この折曲部分の端部が前記全反射ミラーの他方側の裏面の端面に向けて湾曲されて、この湾曲部分が前記全反射ミラーの裏面の他方側の端面に圧接されている請求項２に記載の光ピックアップにおける全反射ミラーの取付構造。
【請求項４】
前記板バネ部分は、前記オフトカバーにおける前記全反射ミラーに近接する箇所に設けられ、この板バネ部分が斜め上向きに折曲され、この折曲部分の端部が前記全反射ミラーの裏面の近接箇所に圧接されている請求項２に記載の光ピックアップにおける全反射ミラーの取付構造。
【発明の詳細な説明】
【技術分野】
【０００１】
本発明は、光学ディスクに対して接近及び離反可能に支持されるスライドベースに取り付けられ且つ光源から発射されるレーザー光の光軸を曲げて光学ディスクに照射させる光ピックアップにおける全反射ミラーの取付構造に関するものである。
【背景技術】
【０００２】
従来、この種の光ピックアップにおける全反射ミラーの取付構造は、全反射ミラーが光ピックアップの本体部の一部に接着剤だけで固定されていたために、環境試験によってこの全反射ミラーが擦れてしまう虞があった。
【０００３】
第１の従来技術を図４（ａ）（ｂ）に示す。この従来の光学ピックアップ装置は、図４（ａ）（ｂ）に示すように、光学ディスクに対して接近及び離反可能に支持されるスライドベース１１３と、このスライドベース１１３に取り付けられ且つ光源から発射されるレーザ光の光軸を曲げて光学ディスクに照射させるプリズムミラー１１６とを備え、光学ディスクに対して情報信号の記録及び／又は再生を行うようにしている。スライドベース１１３には、プリズムミラー１１６を収納するミラー収納穴１２２と、プリズムミラー１１６のレーザ光の反射面１１６ａ側を支持するためミラー収納穴１２２に設けられた傾斜突条１２３と、ミラー収納穴１２２の周縁部に設けられ且つミラー収納穴１２２との間に薄肉部１２４を切り倒して押圧片１２６を形成して押圧片１２６でプリズムミラー１１６を固定するように構成されている。（例えば、特許文献１参照）。
【０００４】
ところが、これにおいては、プリズムミラー１１６が固定されているので、プリズムミラー１１６の調整を行なうことができないという問題があった。
【０００５】
第２の従来技術を図５、図６（ａ）（ｂ）に示す。この従来の光ピックアップ装置は、図５、図６（ａ）（ｂ）に示すように、ハーフミラー２０２がミラー保持部２０６に支えられており、ミラー接着保持面２０７ａには接着剤２０９により、ミラーつきあて保持面２０７ｂにはバネ２０８によって密着し固定されている。ハーフミラー２０２を固定するミラー接着保持面２０７ａには溝２１０を設けた構成となっている。（例えば、特許文献２参照）。
【０００６】
ところが、これにおいては、バネ２０８で固定されているために、ハーフミラー２０２が不安定であるという問題があった。
【特許文献１】特開２０００−５７６１８号公報
【特許文献２】特開平８−１１１０２７号公報
【発明の開示】
【発明が解決しようとする課題】
【０００７】
本発明は、上記従来の問題に鑑みてなされたものであって、環境試験による全反射ミラーの擦れを押さえることができ、この擦れ量を小さくすることができる光ピックアップにおける全反射ミラーの取付構造を提供することを目的としている。
【課題を解決するための手段】
【０００８】
本発明は、上記課題を解決するために提案されたものであって、請求項１に記載の発明は、光学ディスクに対して接近及び離反可能に支持されるスライドベースに取り付けられ且つ光源から発射されるレーザー光の光軸を曲げて光学ディスクに照射させる光ピックアップにおける全反射ミラーの取付構造において、前記全反射ミラーは光ピックアップの本体部のミラー保持部に斜め向きに支えられ、この全反射ミラーを保護するためのオフトカバーに板バネが一体的に設けられ、この板バネ部分が下向きに折曲されて更にその端部が内向きに湾曲され、この湾曲部分が前記全反射ミラーの裏面の一方側の端面に圧接されていて、前記全反射ミラーの裏面の他方側の端面には、この端面に対応する板バネ部分が斜め上向きに折曲され、この折曲部分の端部が前記全反射ミラーの裏面の他方側の端面に向けて湾曲されて、この湾曲部分が前記全反射ミラーの裏面の他方側の端面に圧接されていることにより、前記全反射ミラーが前記板バネで保持されるように構成されていることを特徴としている。
【０００９】
請求項２に記載の発明は、光学ディスクに対して接近及び離反可能に支持されるスライドベースに取り付けられ且つ光源から発射されるレーザー光の光軸を曲げて光学ディスクに照射させる光ピックアップにおける全反射ミラーの取付構造において、前記全反射ミラーは光ピックアップの本体部のミラー保持部に斜め向きに支えられ、この全反射ミラーを保護するためのオフトカバーに板バネが一体的に設けられ、この板バネ部分が前記全反射ミラーの裏面側に向けて折曲されて前記全反射ミラーの裏面に圧接されることによって、前記全反射ミラーが保持されるように構成されていることを特徴としている。
【００１０】
請求項３に記載の発明は、前記板バネ部分は、前記オフトカバーにおける前記全反射ミラーの裏面の近傍に設けられ、この近傍部分を前記全反射ミラーの裏面に沿って折曲されてこの折曲部分のほぼ全体が前記反射ミラーの裏面の一方側の端面に到る箇所に圧接され、前記全反射ミラーの裏面側の他方側の端面に対応する板バネ部分が斜め上向きに折曲され、この折曲部分の端部が前記全反射ミラーの他方側の裏面の端面に向けて湾曲されて、この湾曲部分が前記全反射ミラーの裏面の他方側の端面に圧接されている。
【００１１】
請求項４に記載の発明は、前記板バネ部分は、前記オフトカバーにおける前記全反射ミラーに近接する箇所に設けられ、この板バネ部分が斜め上向きに折曲され、この折曲部分の端部が前記全反射ミラーの裏面の近接箇所に圧接されている。
【発明の効果】
【００１２】
請求項１に記載の発明によれば、光ピックアップの本体部のミラー保持部に支えられた全反射ミラーの裏面の一方側の端面に、オフトカバーに一体的に設けられ下向きに折曲された板バネ部分の端部の湾曲部が圧接されるとともに、全反射ミラーの裏面の他方側の端面に、この端面に対応する板バネ部分の端部の湾曲部分が圧接されているので、環境試験による全反射ミラーの擦れを機械的に抑えることができてこの全反射ミラーの擦れ量を小さくすることができる。
【００１３】
請求項２に記載の発明によれば、光ピックアップの本体部のミラー保持部に支えられた全反射ミラーの裏面に、オフトカバーに一体的に設けられ全反射ミラーの裏面側に向けて折曲された板バネ部分の折曲部が圧接されているので、環境試験による全反射ミラーの擦れを機械的に抑えることができてこの全反射ミラーの擦れ量を小さくすることができる。
【００１４】
請求項３に記載の発明によれば、オフトカバーにおける全反射ミラーの裏面の近傍の板バネ部分が折曲されて全反射ミラーの裏面の一方側の端部に到る箇所に圧接されているとともに、全反射ミラーの他方側の裏面側の端面に、全反射ミラーの他方側の裏面の端部に向けて湾曲されてこの湾曲部分が圧接されているので、環境試験による全反射ミラーの擦れをより一層機械的に抑えることができてこの全反射ミラーの擦れ量をより一層小さくすることができる。
【００１５】
請求項４に記載の発明によれば、オフトカバーにおける全反射ミラーに近接する箇所の板バネ部分の折曲部分の端部が、全反射ミラーの裏面の近接箇所に圧接されているので、環境試験による全反射ミラーの擦れを機会的に抑えることができてこの全反射ミラーの擦れ量を小さくすることができる。また、板バネ部分が一箇所であるので構造を簡単にすることができる。
【発明を実施するための最良の形態】
【００１６】
以下、本発明に係る光ピックアップにおける全反射ミラーの取付構造の実施の形態について、図を参照しつつ説明する。
【００１７】
図１は本発明の第１実施形態の光ピックアップにおける全反射ミラーの取付構造を示し、（ａ）はその斜視図、（ｂ）はその縦断面図である。
【００１８】
この第１実施形態の光ピックアップにおける全反射ミラーの取付構造は、図１（ａ）（ｂ）に示すように、全反射ミラー１がスライドベース２に斜め向きに取り付けられ、この全反射ミラー１の両側部が光ピックアップの本体部のミラー保持部３に斜め向きに支えられている。この全反射ミラー１を保護するためのオフトカバー４が全反射ミラーの上側に配置されている。このオフトカバー４には板バネが一体的に設けられ、この板バネ部分５Ａが下向きに折曲されて更にその端部が内向きに湾曲されていて、この湾曲部分５ａの端部が全反射ミラー１の裏面１ａの一方側の端面１ｂに圧接されている。また、全反射ミラー１の裏面１ａの他方側の端面１ｃには、この端面１ｃに対応する板バネ部分５Ｂが斜め上向きに折曲され、この折曲部分の端部が全反射ミラー１の裏面１ａの他方側の端面１ｃに向けて湾曲されて、この湾曲部分５ｂが全反射ミラー１の裏面１ａの他方側の端面１ｃに圧接されている。この構造により、全反射ミラー１が前記した２箇所の板バネ部分５Ａ、５Ｂで保持されている。オフトカバー４に一体的に設けられた２箇所の板バネ部分５Ａ、５Ｂが圧接する
従って、この第１実施形態によれば、オフトカバー４に一体的に設けられた２箇所の板バネ部分５Ａ、５Ｂの各端部の湾曲部分５ａ、５ｂが、全反射ミラー１の裏面１ａの一方側の端面１ｂと他方側の端面１ｃに圧接されているので、環境試験による全反射ミラー１の擦れを機械的に抑えることができてこの全反射ミラー１の擦れ量を小さくすることができる。
【００１９】
図２は第２実施形態の光ピックアップにおける全反射ミラーの取付構造を示す縦断面図である。
【００２０】
この第２実施形態の光ピックアップにおける全反射ミラーの取付構造は、図２に示すように、一方側の板バネ部分５Ｃがオフトカバー４における全反射ミラー１の裏面１ａの近傍に設けられている。この近傍部分が全反射ミラー１の裏面１ａに沿って折曲されてこの折曲部分５ｃのほぼ全体が全反射ミラー１の裏面１ａの一方側の端面１ｂに到る箇所に圧接されている。他方側の板バネ部分５Ｄが全反射ミラー１の他方側の端面１ｃに対応する部分に設けられていて、この板バネ部分５Ｄが斜め上向きに折曲され、この折曲部分５ｄの端部が全反射ミラー１の他方側の裏面１ａの端面１ｃに湾曲されて、この湾曲部分５ｄが全反射ミラー１の裏面１ａの他方側の端面１ｃに圧接されている。
【００２１】
従って、この第２実施形態によれば、一方側の板バネ部分５Ｃの折曲部分５ｃのほぼ全体が全反射ミラー１の一方側の端面１ｂに到る箇所に圧接されているので、環境試験による全反射ミラー１の擦れをより一層機械的に抑えることができてこの全反射ミラー１の擦れ量をより一層小さくすることができる。更に、他方側の板バネ部分５Ｄの折曲部分の端部の湾曲部分５ｄが全反射ミラー１の裏面１ａの他方側の端面１ｃに圧接されているので、これによっても、全反射ミラー１の擦れを抑えることができてこの全反射ミラー１の擦れ量を小さくすることができる。
【００２２】
図３は第３実施形態の光ピックアップにおける全反射ミラーの取付構造を示す縦断面図である。
【００２３】
この第３実施形態の光ピックアップにおける全反射ミラーの取付構造は、図３に示すように、板バネ部分５Ｅがオフトカバー４における全反射ミラー１に近接する箇所に設けられている。この板バネ部分５Ｅが斜め上向きに折曲され、この折曲部分５ｅの端部が全反射ミラー１の裏面１ａの近接箇所に圧接されている。
【００２４】
従って、この第３実施形態によれば、オフトカバー４における全反射ミラー１に近接する箇所の板バネ部分５Ｅの折曲部分５ｅの端部が、全反射ミラー１の裏面１ａの近接箇所に圧接されているので、環境試験による全反射ミラー１の擦れを機会的に抑えることができてこの全反射ミラー１の擦れ量を小さくすることができる。また、板バネ部分５Ｅが一箇所であるので構造を簡単にすることができる。
【００２５】
尚、板バネ部分は上記各実施形態に示した板バネ部分に限らず、オフトカバー４の他の箇所に設けてこれらの板バネ部分を全反射ミラー１の裏面１ａに圧接してもよいことは勿論である。
【図面の簡単な説明】
【００２６】
【図１】本発明の第１実施形態の光ピックアップにおける全反射ミラーの取付構造を示し、（ａ）はその斜視図、（ｂ）はその縦断面図である。
【図２】第２実施形態の光ピックアップにおける全反射ミラーの取付構造を示す縦断面図である。
【図３】第３実施形態の光ピックアップにおける全反射ミラーの取付構造を示す縦断面図である。
【図４】従来の光学ピックアップ装置におけるプリズムミラーの取付状態を示し、（ａ）はその斜視図、（ｂ）はその縦断面図である。
【図５】従来の光ピックアップ装置の光学系を示す模式図である。
【図６】（ａ）は同光ピックアップ装置のハーフミラーの拡大斜視図、（ｂ）は（ａ）に示すハーフミラーの拡大断面図である。
【符号の説明】
【００２７】
１      全反射ミラー
１ａ    裏面
１ｂ    一方側の端面
１ｃ    他方側の端面
２      スライドベース
３      ミラー保持部
４      オフトカバー
５Ａ    板バネ部分
５Ｂ    板バネ部分
５Ｃ    板バネ部分
５Ｄ    板バネ部分
５Ｅ    板バネ部分
５ａ    湾曲部分
５ｂ    湾曲部分
５ｃ    折曲部分
５ｄ    折曲部分
５ｅ    折曲部分
【図１】
2006031737.tif 000003
【図２】
2006031737.tif 000004
【図３】
2006031737.tif 000005
【図４】
2006031737.tif 000006
【図５】
2006031737.tif 000007
【図６】
2006031737.tif 000008